(57)【特許請求の範囲】
【請求項１】
紙幣が排出される複数の出金口と、
紙幣が正常であるか否かを認識する紙幣認識部と、
紙幣の収納および繰り出しが可能な紙幣収納庫と、
紙幣を搬送する搬送路と、
出金処理中にリジェクト紙幣が発生した際、正常紙幣が搬送されている第１の出金口と異なる第２の出金口に前記リジェクト紙幣を搬送するよう制御する制御部と、
を備える、現金処理装置。
【請求項２】
前記制御部は、出金動作終了後に、前記第２の出金口にリジェクト紙幣を集積したことをオペレータ端末に通知するよう制御する、請求項１に記載の現金処理装置。
【請求項３】
紙幣が排出される複数の出金口と、
紙幣が正常であるか否かを認識する紙幣認識部と、
紙幣の収納および繰り出しが可能な紙幣収納庫と、
紙幣を搬送する搬送路と、
前記紙幣収納庫の紙幣を回収するために繰り出した紙幣を前記出金口に搬送する出金口回収処理中にリジェクト紙幣が発生した際、正常紙幣が搬送されている第１の出金口と異なる第２の出金口に前記リジェクト紙幣を搬送するよう制御する制御部と、
を備える、現金処理装置。
【請求項４】
前記制御部は、出金口回収動作終了後に、前記第２の出金口からのリジェクト紙幣受け取りをオペレータ端末に通知するよう制御する、請求項３に記載の現金処理装置。
【請求項５】
前記制御部は、出金動作または出金口回収動作終了後、正常紙幣の受け取りをオペレータ端末に通知し、前記第１の出金口に集積紙幣がないことが認識されてから、前記第２の出金口からのリジェクト紙幣受け取りをオペレータ端末に通知する、請求項１または３に記載の現金処理装置。
【請求項６】
前記制御部は、前記第２の出金口からリジェクト紙幣が受け取られたか否かを認識する、請求項５に記載の現金処理装置。
【発明の詳細な説明】
【技術分野】
【０００１】
本発明は、現金処理装置に関する。
【背景技術】
【０００２】
昨今、金融機関の営業店カウンタに設置される窓口用現金処理機に代表される現金処理装置は、紙幣や硬貨の入金取引、出金取引、整理計数などに利用される。オペレータは、この現金処理装置の操作部または現金処理装置に接続された受付端末から各種操作を行うことにより、入金、出金などの取引を行うことができる。かかる現金処理装置に関する技術としては様々な技術が開示されている。
【０００３】
例えば、下記特許文献１では、紙幣収納部から紙幣認識部に紙幣を搬送する経路と重複しないリジェクトルートを確保することが可能な紙幣処理装置が提案されている。また、下記特許文献２では、銀行窓口における入出金取引において、金額不一致等のトラブルが発生した場合であっても、その取引について検証を行うことができる窓口用紙幣入出金機が提案されている。
【０００４】
ここで、紙幣の収納動作時または出金時に異常紙幣が発生した場合には、その異常紙幣は入金庫（リジェクトカセット）に搬送されるのが一般的である。また、紙幣の収納動作時において、リサイクル不可紙幣を搬送する場合や、搬送先のリサイクルカセットに既に収納されている紙幣の枚数が上限値に達している場合などには、入金庫に設定された紙幣カセットに紙幣が搬送されるのが一般的である。
【先行技術文献】
【特許文献】
【０００５】
【特許文献１】特開２０１３−１１７８９８号公報
【特許文献２】特開２００８−１３４８６３号公報
【発明の概要】
【発明が解決しようとする課題】
【０００６】
しかしながら、現金処理装置を扱うオペレータが、入金庫（リジェクトカセット）や入金庫に設定された紙幣カセットに収納された紙幣を回収するためには、現金処理装置の金庫扉を開けて現金処理装置の下部ユニットを引き出してから、入金庫や入金庫に設定された紙幣カセットを抜き取らなければならないのが一般的である。そのため、紙幣の回収のためにオペレータに煩雑な作業を強いる可能性がある。
【０００７】
また、例えば、金庫扉の鍵を銀行以外の会社が保持しているような国においては、銀行は、金庫扉を開けるための鍵を得るために、他の会社に依頼料を支払わなくてはならない場合もある。かかる場合には、現金処理装置を扱う銀行に、鍵を得るための依頼料が掛かってしまう。
【０００８】
さらに、リジェクト紙幣が発生した際に動作を停止するシステムの場合、リジェクト紙幣を取り除く処理を行わなければ動作を再開することができず、オペレータの作業が中断してしまう。
【０００９】
そこで、本発明は、上記問題に鑑みてなされたものであり、本発明の目的とするところは、リジェクト紙幣が発生した際、一時保留部に搬送し、動作終了後に紙幣カセットに戻すことで、紙幣回収のために金庫扉を開ける作業を不要とし、かつ、動作を継続することが可能な、新規かつ改良された現金処理装置を提供することにある。
【課題を解決するための手段】
【００１０】
上記課題を解決するために、紙幣が排出される複数の出金口と、紙幣が正常であるか否かを認識する紙幣認識部と、紙幣の収納および繰り出しが可能な紙幣収納庫と、紙幣を搬送する搬送路と、出金処理中にリジェクト紙幣が発生した際、正常紙幣が搬送されている第１の出金口と異なる第２の出金口に前記リジェクト紙幣を搬送するよう制御する制御部と、を備える、現金処理装置が提供される。
【００１１】
また、前記制御部は、出金動作終了後に、前記第２の出金口にリジェクト紙幣を集積したことをオペレータ端末に通知するよう制御してもよい。
【００１２】
また、上記課題を解決するために、本発明の別の観点によれば、紙幣が排出される複数の出金口と、紙幣が正常であるか否かを認識する紙幣認識部と、紙幣の収納および繰り出しが可能な紙幣収納庫と、紙幣を搬送する搬送路と、前記紙幣収納庫の紙幣を回収するために繰り出した紙幣を前記出金口に搬送する出金口回収処理中にリジェクト紙幣が発生した際、正常紙幣が搬送されている第１の出金口と異なる第２の出金口に前記リジェクト紙幣を搬送するよう制御する制御部と、を備える、現金処理装置が提供される。
【００１３】
また、前記制御部は、出金口回収動作終了後に、前記第２の出金口からのリジェクト紙幣受け取りをオペレータ端末に通知するよう制御してもよい。
【００１６】
また、前記制御部は、出金動作または出金口回収動作終了後、正常紙幣の受け取りをオペレータ端末に通知し、前記第１の出金口に集積紙幣がないことが認識されてから、前記第２の出金口からのリジェクト紙幣受け取りをオペレータ端末に通知してもよい。
【００１７】
また、前記制御部は、前記第２の出金口からリジェクト紙幣が受け取られたか否かを認識してもよい。
【発明の効果】
【００１８】
以上説明したように本発明によれば、リジェクト紙幣が発生した際、一時保留部に搬送し、動作終了後に紙幣カセットに戻すことで、紙幣回収のために金庫扉を開ける作業を不要とし、かつ、動作を継続することが可能である。
【図面の簡単な説明】
【００１９】
【図１】一般的な現金処理装置の要部構成図である。
【図２】一般的な現金処理装置の出金時における動作の流れの例を示すフローチャートである。
【図３】一般的な現金処理装置のカセット回収時におけるオペレータの作業の流れの例を示すフローチャートである。
【図４】本発明の実施形態に係る現金処理装置の要部構成図である。
【図５】本発明の実施形態に係る現金処理装置の機能構成例を示すブロック図である。
【図６】本発明の第１の実施形態に係る現金処理装置の出金動作時における動作の流れの例を示すフローチャートである。
【図７】本発明の第１の実施形態に係る現金処理装置の出金口回収動作時における動作の流れの例を示すフローチャートである。
【図８】本発明の第１の実施形態に係る現金処理装置の他の出金口回収動作時における動作の流れの例を示すフローチャートである。
【図９】本発明の第２の実施形態に係る現金処理装置の出金動作時における動作の流れの例を示すフローチャートである。
【図１０】本発明の第２の実施形態に係る現金処理装置の出金口回収動作時における動作の流れの例を示すフローチャートである。
【図１１】本発明の第２の実施形態に係る現金処理装置の他の出金口回収動作時における動作の流れの例を示すフローチャートである。
【発明を実施するための形態】
【００２０】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２１】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２２】
本発明は、以下本明細書において詳細に説明するような多様な形態で実施され得る。また、各実施形態による現金処理装置（１０）は、
Ａ．紙幣が排出される出金口（１０２）と、
Ｂ．紙幣が正常であるか否かを認識する紙幣認識部（１０４）と、
Ｃ．紙幣の収納および繰り出しが可能な紙幣収納庫（紙幣カセット１０６〜１１０）と、
Ｄ．紙幣を一時的に収納する紙幣保留部（一時保留部１０５）と、
Ｅ．紙幣を搬送する搬送路（１０３）と、
Ｆ．紙幣の搬送中にリジェクト紙幣が発生した際、リジェクト紙幣を前記一時保留部に搬送し、出金動作終了後に、前記一時保留部に集積したリジェクト紙幣を前記紙幣収納庫に搬送するよう制御する制御部（ＣＰＵ４０）と、
を有する。
【００２３】
（本発明の背景）
まず、一般的な現金処理装置９０の構成について図１を参照して説明する。図１は、一般的な現金処理装置９０の要部構成図である。例えば、現金処理装置９０は、金融機関の受付窓口員などのオペレータによる操作に基づいて金銭の取引を実行する操作型端末であってよい。また、例えば、この現金処理装置９０は、金融機関の営業店などに設置される。以下では、現金処理装置９０が窓口用現金入出金機（ＴＣＲ：Ｔｅｌｌｅｒ  Ｃａｓｈ  Ｒｅｃｙｃｌｅｒ）である場合を主に想定する。
【００２４】
図１に示すように、現金処理装置９０は、入金口１０１、出金口１０２（第１の出金口１０２−１、第２の出金口１０２−２）、搬送路１０３、認識部１０４、一時保留部１０５、紙幣カセット１０６〜１１０、入金庫（リジェクトカセット）１１１およびブレード１１２、１１３を有する。なお、以下においては、説明の簡便さのため、スロットＡ〜Ｅに装着される紙幣カセット１０６〜１１０を紙幣カセットＡ〜Ｅと記載し、スロットＦに装着される入金庫１１１を入金庫Ｆと記載する場合もある。
【００２５】
入金口１０１は、オペレータによって紙幣が投入される投入口である。入金口１０１には、開口部を開閉するシャッタ（不図示）が設けられてよい。また、入金口１０１は、束で投入された紙幣を一枚ずつ分離して搬送路１０３に繰り出す分離機能を有していてよい。なお、入金口１０１は、搬送路１０３側に傾くことや、オペレータによる取り出し口側に傾くことが可能な可動式であってもよい。
【００２６】
出金口１０２は、オペレータが受け取る紙幣が排出される排出口である。出金口１０２には、開口部を開閉するシャッタ（不図示）が設けられてよい。また、出金口１０２は、排出する紙幣を集積する集積機能を有していてよい。なお、出金口１０２は、搬送路１０３側に傾くことや、オペレータによる取り出し口側に傾くことが可能な可動式であってもよい。図１に示すように、出金口１０２としては、第１の出金口１０２−１および第２の出金口１０２−２が存在してよい。現金処理装置９０における第１の出金口１０２−１および第２の出金口１０２−２それぞれの位置は特に限定されない。
【００２７】
搬送路１０３は、紙幣を搬送する機能を有している。紙幣の搬送には、対向して当接する複数のローラの間に紙幣を挟んで送出する機構が用いられてよい。搬送路１０３は、駆動モータ（不図示）によって駆動され得る。駆動モータ（不図示）は、例えば、ＤＣサーボモータまたはパルスモータによって構成されており、かかるモータが回転することにより搬送路１０３を駆動する。
【００２８】
駆動モータ（不図示）は、現金処理装置９０の全体の動作を制御する制御部（不図示）の制御に従って、搬送路１０３が紙幣を目的の搬送先に搬送するように搬送路１０３を駆動する。搬送路１０３は、複数の搬送区間に分割され、複数の搬送区間がそれぞれの駆動モータによって駆動されてもよい。ブレード１１２、１１３は、搬送路１０３の分岐部分に配置されており、制御部（不図示）の制御に従って紙幣の搬送方向を制御する。例えば、ブレード１１２、１１３は、ロータリー式ソレノイドを直結させて回転する手法を用いて紙幣の搬送方向を制御してもよい。
【００２９】
認識部１０４は、１枚ずつ搬送される紙幣の認識を行う。認識部１０４は、双方向（方向Ｄ１および方向Ｄ２）に搬送される紙幣の認識を行うことができる。具体的には、認識部１０４は、搬送路１０３によって搬送された紙幣の金種、真偽、正損および走行状態などを鑑別し、搬送される紙幣に対して、正常判定または異常判定を行う。異常判定（リジェクト判定）は、真偽、正損（汚損、損壊、外形異常など）、走行異常（スキュー紙幣、重走など）といった要因に基づいて行われる。また、異常紙幣（以下、「リジェクト紙幣」とも言う。）は、出金紙幣として取り扱えない二千円札および五千円札を含んでもよいし、外国紙幣を含んでもよい。
【００３０】
一時保留部１０５は、紙幣の分離と収納の両方の機能を有する。例えば、一時保留部１０５は、入金時に入金口１０１から分離されて認識部１０４により正常と認識された紙幣を一時的に収納する。一時保留部１０５に収納された紙幣は、取引が成立した場合（例えば、入金した紙幣の口座計上が確定した場合）などに繰り出され、認識部１０４に搬送される。認識部１０４を経て紙幣カセットＡ〜Ｄなどに搬送される。なお、一時保留部１０５の収納形式は、紙幣を順次重ねて集積する集積式であってもよいし、紙幣を順次巻いて収納するドラム式であってもよい。
【００３１】
紙幣カセットＡ〜Ｄは、紙幣を金種毎に収納可能であり、紙幣の収納および分離の両方の機能を有する。紙幣カセットＡ〜Ｄには、同一金種の紙幣を収納する紙幣カセットが存在してもよい。例えば、紙幣カセットＡ、Ｃが一万円札を収納可能であり、紙幣カセットＢ、Ｄが千円札を収納可能であってもよい。また、紙幣カセットＡ〜Ｄは、現金処理装置９０に対して着脱可能な構造になっていてよい。
【００３２】
紙幣カセットＥは、紙幣を収納する収納機能および１枚ずつ繰り出す分離機能を有する。例えば、紙幣カセットＥは、回収時に各紙幣カセットＡ〜Ｄから分離された紙幣を収納することができる。また、紙幣カセットＥは、補充時に収納している紙幣を繰り出し、紙幣カセットＡ〜Ｄに紙幣を補充することができる。このように、紙幣カセットＥは、複数の用途に利用され得る。また、紙幣カセットＥは、現金処理装置９０に対して着脱可能な構造になっていてよい。
【００３３】
入金庫Ｆは、紙幣を収納する収納機能を有する。例えば、入金庫Ｆは、認識部１０４によって異常であると認識された紙幣（リジェクト紙幣）を収納する機能を有している。また、入金庫Ｆは、リジェクト紙幣の他に、正常紙幣、外国紙幣、偽造券などといった、他の紙幣と様々な区別をされた紙幣を収納することが可能な多目的な紙幣カセット（入金庫）であってよい。また、入金庫Ｆは、現金処理装置９０に対して着脱可能な構造になっていてよい。
【００３４】
以上、図１を参照しながら、一般的な現金処理装置９０の基本的な機能について説明した。続いて、図２〜図４を適宜参照しながら、一般的な現金処理装置９０における取引ごとの紙幣の流れについて説明する。取引には、入金、収納、出金、補充、回収などが含まれ得る。
【００３５】
まず、一般的な現金処理装置９０の入金時における紙幣の流れを説明する。入金時においては、オペレータによって入金口１０１に投入された紙幣が１枚ずつ方向Ｄ１に沿って搬送路１０３によって認識部１０４に搬送される。認識部１０４によってリジェクト紙幣であると認識された紙幣は、方向Ｄ１に沿って出金口１０２に搬送される。出金口１０２に搬送された紙幣は、入金口１０１に再度投入されることによって、認識部１０４によって再度認識され得る。
【００３６】
一方、認識部１０４によって正常であると認識された紙幣は、方向Ｄ１に沿って一時保留部１０５に搬送され、一時保留部１０５によって一時的に収納される。入金動作が終わると、現金処理装置９０を制御する上位システム（不図示）によって入金金額が表示される。入金金額をオペレータが確認すると、上位システム（不図示）の収納開始指示に従って、現金処理装置９０の動作が入金動作から収納動作に移行される。
【００３７】
続いて、一般的な現金処理装置９０の出金時における紙幣の流れを説明する。図２は、一般的な現金処理装置９０の出金時における動作の流れの例を示すフローチャートである。図２に示すように、出金時においては、紙幣カセットＡ〜Ｅのうち指定金種が設定された紙幣カセットから指定枚数の紙幣が１枚ずつ分離されて方向Ｄ２に沿って搬送路１０３によって認識部１０４に搬送される。認識部１０４による認識結果がリジェクト紙幣である旨を示す場合は（ステップＳ２０１において「Ｙｅｓ」）、当該紙幣は方向Ｄ２に沿って搬送路１０３によって入金庫Ｆに搬送される（ステップＳ２０２）。
【００３８】
一方、認識部１０４による認識結果が正常である旨を示す場合は（ステップＳ２０１において「Ｎｏ」）、当該紙幣は方向Ｄ２に沿って搬送路１０３によって出金口１０２に搬送される（ステップＳ２０３）。
【００３９】
続いて、一般的な現金処理装置９０の補充時における紙幣の流れを説明する。紙幣補充の手法としては、投入口補充、カセット交換補充およびカセット計数補充などが挙げられる。ここで、投入口補充の動作は、上記した入金動作および収納動作と同様になされ得る。また、カセット交換補充は、あらかじめ紙幣が収納された紙幣カセットを現金処理装置９０にセットする手法であるが、かかる手法においては、認識部１０４により紙幣の計数処理が実行されないため、オペレータは、紙幣の金種および枚数をマニュアルで登録する必要がある。
【００４０】
カセット計数補充においては、紙幣カセットＥから１枚ずつ分離された紙幣が方向Ｄ２に沿って搬送路１０３によって認識部１０４に搬送される。認識部１０４による認識結果がリジェクト紙幣である旨を示す場合は、当該紙幣は、方向Ｄ２に沿って入金庫Ｆに搬送される。一方、認識部１０４による認識結果が正常である旨を示す場合は、当該紙幣は、方向Ｄ２に沿って搬送路１０３によって一時保留部１０５に搬送される。
【００４１】
続いて、正常であると認識された紙幣は、一時保留部１０５から繰り出されて、方向Ｄ１に沿って搬送路１０３によって認識部１０４に搬送される。認識部１０４による認識結果がリジェクト紙幣である旨を示す場合は、当該紙幣は、方向Ｄ１に沿って入金庫Ｆに搬送される。一方、認識部１０４によって正常であると認識された紙幣は、方向Ｄ１に沿って搬送路１０３によって紙幣カセットＡ〜Ｅのうち当該紙幣の金種と一致する金種が設定された紙幣カセットに搬送される。
【００４２】
続いて、一般的な現金処理装置９０の回収時における紙幣の流れを説明する。紙幣回収の手法としては、出金口回収、カセット交換回収およびカセット計数回収などが挙げられる。ここで、出金口回収の動作は、上記した出金動作と同様になされ得る。また、カセット交換回収は、現金処理装置９０から紙幣カセットを取り外して紙幣の回収を行う手法であるが、かかる手法においては、認識部１０４により紙幣の計数処理が実行されないため、オペレータは、取り外した紙幣カセットから紙幣を抜き取って紙幣の金種および枚数をマニュアルで数えるのが一般的な運用である。
【００４３】
カセット計数回収においては、紙幣カセットＡ〜Ｄから１枚ずつ分離された紙幣が方向Ｄ２に沿って搬送路１０３によって認識部１０４に搬送される。認識部１０４によって異常であると認識されたリジェクト紙幣は、方向Ｄ２に沿って入金庫Ｆに搬送される。一方、認識部１０４によって正常であると認識された紙幣は、方向Ｄ２に沿って紙幣カセットＥに搬送される。紙幣の計数が完了した後、オペレータは、紙幣カセットＥを現金処理装置９０から取り外して紙幣の回収を行うことができる。
【００４４】
図３は、一般的な現金処理装置９０のカセット回収時におけるオペレータの作業の流れの例を示すフローチャートである。図３に示すように、紙幣カセットの回収がなされるに際しては、オペレータは、鍵を用いて金庫扉１１５を開ける（ステップＳ３０１）。続いて、オペレータは、現金処理装置９０から下部ユニット１１４を取り外して（ステップＳ３０２）、現金処理装置９０から紙幣カセットを取り外す。オペレータは、取り外した紙幣カセットから紙幣を抜き取り（ステップＳ３０３）、下部ユニット１１４を現金処理装置９０に取り付け（ステップＳ３０４）、金庫扉を閉める（ステップＳ３０５）。
【００４５】
以上、図２、図３を適宜参照しながら、一般的な現金処理装置９０における取引ごとの紙幣の流れについて説明した。ここで、上記したように、各取引時（例えば、収納動作時、出金時、補充時および回収時など）においては、紙幣の搬送中において認識部１０４によって異常であると認識されたリジェクト紙幣は、入金庫Ｆ（リジェクトカセット）に搬送されてしまうのが一般的である。
【００４６】
また、紙幣の分離機能（紙幣を繰り出す機能）を有する出金庫、紙幣の集積する機能を有する出金庫の他に、紙幣の分離機能と紙幣の集積機能との双方を有する紙幣カセット（以下、「リサイクルカセット」とも言う。）が存在し得る。例えば、紙幣カセットＡ〜Ｄがリサイクルカセットとなり得る。ここで、紙幣の収納動作時において、搬送先のリサイクルカセットに収納された紙幣の枚数が上限値に達している場合、入金庫に設定された紙幣カセットに紙幣が搬送されるのが一般的である。
【００４７】
なお、リサイクルカセットに対して補充する紙幣を繰り出し、リサイクルカセットから回収する紙幣を収納する紙幣カセット（装填回収庫）も存在し得る。例えば、紙幣カセットＥが装填回収庫となり得る。
【００４８】
また、紙幣カセットに収納された後に出金対象とはされない紙幣（以下、「リサイクル不可紙幣」）が存在し得る。例えば、紙幣カセットＡ〜Ｅの中に一致する金種が設定された紙幣カセットが存在しない金種の紙幣は、リサイクル不可紙幣として扱われ得る。リサイクル不可紙幣も、収納動作時において、入金庫に設定された紙幣カセットに紙幣が搬送されるのが一般的である。
【００４９】
しかし、現金処理装置９０を扱うオペレータが、入金庫Ｆや入金庫に設定された紙幣カセットに収納された紙幣を回収するためには、現金処理装置９０の金庫扉１１５を開けて現金処理装置９０の下部ユニット１１４を引き出してから、入金庫Ｆや入金庫に設定された紙幣カセットを抜き取らなければならないのが一般的である。そのため、紙幣の回収のためにオペレータに煩雑な作業を強いる可能性がある。
【００５０】
また、例えば、金庫扉１１５の鍵を銀行以外の会社が保持しているような国においては、銀行は、金庫扉１１５を開けるための鍵を得るために、他の会社に依頼料を支払わなくてはならない場合もある。かかる場合には、現金処理装置９０を扱うオペレータに煩雑な手続きを強いる可能性がある。また、かかる場合には、現金処理装置９０を扱う銀行には、鍵を得るための依頼料が掛かってしまう。
【００５１】
さらに、リジェクト紙幣が発生した際に動作を停止するシステムの場合、リジェクト紙幣を取り除く処理を行わなければ動作を再開することができず、オペレータの作業が中断してしまう。
【００５２】
そこで、本明細書においては、リジェクト紙幣が発生した際、一時保留部に搬送し、動作終了後に紙幣カセットに戻すことで、紙幣回収のために金庫扉を開ける作業を不要とし、かつ、動作を継続することが可能な技術を主に提案する。
【００５３】
＜＜１．本実施形態による現金処理装置の概要＞＞
続いて、本発明の実施形態に係る現金処理装置１０について詳細に説明する。なお、本発明の実施形態に係る現金処理装置１０の構成要素のうち、一般的な現金処理装置９０と同様の構成要素については、同一の符号を付して説明は省略する。
【００５４】
＜１−１．現金処理装置の要部構成＞
図４は、本発明の実施形態に係る現金処理装置１０の要部構成図である。上述した一般的な現金処理装置９０においては、入金庫Ｆ（リジェクトカセット）が使用されるが、本発明の実施形態に係る現金処理装置１０においては、入金庫Ｆは使用されなくてよい。したがって、図４に示すように、本発明の実施形態に係る現金処理装置１０は、入金庫Ｆ（リジェクトカセット）を有していなくてよい。ただし、入金庫Ｆが使用されなくてよいだけであるため、本発明の実施形態に係る現金処理装置１０は、入金庫Ｆを備えてもよいことは言うまでもない。
【００５５】
その他の構成については、図１を参照して説明した一般的な現金処理装置９０と同様である。
【００５６】
＜１−２．現金処理装置の機能構成＞
次に、本実施形態による現金処理装置１０の機能構成について図５を参照して説明する。図５は、本発明の実施形態に係る現金処理装置１０の機能構成例を示すブロック図である。図５に示すように、本発明の実施形態に係る現金処理装置１０は、制御部２１０と、検知部２２０と、記憶部２３０と、搬送部２４０とを備える。
【００５７】
制御部２１０は、現金処理装置１０の動作全般を制御する。具体的には、制御部２１０は、上述した入金処理、出金処理、補充処理、回収処理などの基本処理を制御する。例えば、制御部２１０は、搬送部２４０による紙幣の搬送と、シャッタ（不図示）の開閉動作とを制御する。
【００５８】
検知部２２０は、例えば、光学センサなどを有し、様々な状態を検知する。例えば、検知部２２０は、入金口１０１や、出金口１０２（第１の出金口１０２−１、第２の出金口１０２−２）の紙幣の集積状態（集積枚数や、紙幣が抜き取られたか否か）を検知する。また、検知部２２０は、紙幣の搬送状態を検知し得る。検知部によって検知された結果は、制御部２１０に出力される。
【００５９】
記憶部２３０は、現金処理装置１０が動作するためのプログラムや各種データなどを記憶する。また、記憶部２３０は、認識部１０４の鑑別結果を記憶し得る。搬送部２４０は、搬送路１０３によって構成され、制御部２１０の制御に従って紙幣を搬送する機能を有する。なお、制御部２１０および記憶部２３０の機能は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などから成るハードウェア構成により実現してもよい。
【００６０】
ＣＰＵは、演算機能および制御機能を有し、各種プログラムに従って現金処理装置１０の動作全般を制御する。ＲＯＭは、ＣＰＵが使用するプログラムや演算パラメータなどを記憶する。ＲＡＭは、ＣＰＵの実行において使用するプログラムや、その実行において適宜変化するパラメータなどを一時記憶する。
【００６１】
本発明の実施形態において、制御部２１０は、搬送中の紙幣が認識部１０４によってリジェクト紙幣であると認識された場合、リジェクト紙幣を一時保留部１０５に搬送し、動作を継続する。また、動作終了後、制御部２１０は、一時保留部１０５に集積したリジェクト紙幣を紙幣カセットＡ〜Ｅに搬送する。かかる構成によれば、搬送中の紙幣がリジェクト紙幣である場合には、当該紙幣が入金庫Ｆ（リジェクトカセット）や入金庫に設定された紙幣カセットに収納されなくなる。したがって、現金処理装置１０の金庫扉１１５を開けて現金処理装置１０の下部ユニット１１４を引き出してから、入金庫Ｆや入金庫に設定された紙幣カセットを抜き取る作業が不要となる。そのため、紙幣の回収のためにオペレータに煩雑な作業を強いる可能性が低減される。
【００６２】
また、例えば、金庫扉の鍵を銀行以外の会社が保持しているような国においても、銀行は、金庫扉を開けるための鍵が不要となるため、他の会社に依頼料を支払わなくて済むようになる。したがって、紙幣回収のために金庫扉を開ける作業を不要とすることができる。
【００６３】
また、リジェクト紙幣が発生した際に搬送動作を停止すると、オペレータがリジェクト紙幣を取り除く処理を行うまで動作が再開されないので、オペレータの作業が中断されるという問題があった。そこで本実施形態では、リジェクト紙幣が発生した場合に、一時保留部１０５にリジェクト紙幣を搬送することで正常紙幣の搬送（各種動作）を継続することができる。また、動作終了後にはリジェクト紙幣を紙幣カセットに戻すことで、紙幣回収のために金庫扉を開ける作業を不要とする。
【００６４】
以下、各実施形態において、現金処理装置１０が有する機能のバリエーションを詳細に説明する。
【００６５】
＜＜２．第１の実施形態＞＞
まず、本発明の第１の実施形態を説明する。第１の実施形態では、搬送中に発生したリジェクト紙幣を一時保留部１０５に搬送し、動作終了後にリジェクト紙幣を紙幣カセットまたは出金口に搬送する。
【００６６】
＜２−１．出金動作＞
まず、第１の実施形態による出金動作について説明する。具体的には、複数の紙幣が紙幣カセットＡに収納されている状態において、出金動作が開始されると、紙幣カセットＡから１枚ずつ紙幣が分離されて繰り出される。ここでは、紙幣カセットＡを用いて説明するが、紙幣カセットＡの代わりに紙幣カセットＢ〜Ｅが用いられてもよい。制御部２１０は、紙幣カセットＡから分離された紙幣が認識部１０４によってリジェクト紙幣であると認識された場合、当該紙幣を出金口１０２に搬送させる。
【００６７】
ここで、制御部２１０は、紙幣カセットＡから分離された紙幣が認識部１０４によってリジェクト紙幣であると認識された場合には、当該リジェクト紙幣を一時保留部１０５に搬送する。
【００６８】
一方、制御部２１０は、紙幣カセットＡから分離された紙幣が認識部１０４によって正常であると認識された場合、当該紙幣を出金口１０２に搬送させる。紙幣の搬送先の出金口１０２は特に限定されない。例えば、紙幣の搬送先の出金口１０２は、第１の出金口１０２−１であってもよいし、第２の出金口１０２−２であってもよい。
【００６９】
また、出金動作が終了後、制御部２１０は、一時保留部１０５に集積したリジェクト紙幣を、認識部１０４で再度認識し、紙幣カセットＡ〜Ｅに搬送させる。この例について、図６を参照しながら説明する。
【００７０】
（２−１−１．動作処理）
図６は、本発明の第１の実施形態に係る現金処理装置１０の出金時における動作の流れの例を示すフローチャートである。図６に示すように、出金時において、制御部２１０は、紙幣カセットＡから分離された紙幣が認識部１０４によって認識され、認識結果が正常紙幣である旨を示す場合には（ステップＳ４０１において「Ｎｏ」）、出金口１０２に当該紙幣を搬送させる（ステップＳ４０２）。
【００７１】
一方、制御部２１０は、紙幣カセットＡから分離された紙幣が認識部１０４によって認識され、認識結果がリジェクト紙幣である旨を示す場合には（ステップ４０１において「Ｙｅｓ」）、リジェクト紙幣を一時保留部１０５に搬送する（ステップＳ４０３）。
【００７２】
次いで、制御部２１０は、出金口１０２に搬送した紙幣の数が出金指示枚数に到達していない場合であって（ステップ４０４において「Ｎｏ」）、出金可能カセットが有る場合は（ステップＳ４０５において「Ｙｅｓ」）、ステップＳ４０１に戻り、紙幣カセットからの紙幣の分離と認識部１０４による認識を継続する。
【００７３】
一方、制御部２１０は、出金口１０２に搬送した紙幣の数が出金指示枚数に到達した場合（ステップ４０４において「Ｙｅｓ」）、または出金可能カセットが無い場合（ステップＳ４０５において「Ｎｏ」）、すなわち出金動作終了後に、出金口１０２のシャッタ（不図示）を開き、オペレータ端末へ正常紙幣の受け取りを通知する（ステップＳ４０６）。
【００７４】
次に、制御部２１０は、出金口１０２に集積紙幣が無いこと（オペレータにより取り除かれたこと）が検知部２２０により検知されると（ステップＳ４０７において「Ｙｅｓ」）、一時保留部１０５に集積紙幣が有るか否かを確認する（ステップＳ４０８）。一時保留部１０５の集積紙幣の有無も検知部２２０により検知され得る。また、本実施形態において、一時保留部１０５に集積されている紙幣は、上記Ｓ４０３で搬送したリジェクト紙幣である。
【００７５】
そして、一時保留部１０５に集積紙幣が有る場合（ステップＳ４０８において「Ｙｅｓ」）、制御部２１０は、一時保留部１０５の集積紙幣（すなわち、リジェクト紙幣）を紙幣カセットＡ〜Ｅに搬送する。この際、制御部２１０は、一時保留部１０５から分離した紙幣を認識部１０４に搬送し、認識結果に応じた金種の紙幣カセットに搬送する。
【００７６】
（２−１−２．効果）
以上説明したように、紙幣出金動作時にリジェクト紙幣が発生した場合に、リジェクト紙幣を一時保留部１０５に搬送し、出金動作終了後に一時保留部１０５のリジェクト紙幣を紙幣カセットＡ〜Ｅに搬送することで、入金庫Ｆ（リジェクトカセット）を使用せずに運用を継続することができる。これにより、オペレータが金庫扉を開閉することなく運用を継続することが可能である。また、金庫扉を開閉することで発生する依頼料が削減する。また、入金庫が不要な構成であるため、コストを削減することも可能である。
【００７７】
＜２−２．出金口回収動作＞
次に、第１の実施形態による出金口回収動作について図７を参照して説明する。図７は、本発明の第１の実施形態に係る現金処理装置１０の出金口回収時における動作の流れの例を示すフローチャートである。ここでは、一例として、指定カセット内の全紙幣を回収する場合の動作について説明する。
【００７８】
（２−２−１．動作処理）
図７に示すように、出金口回収時において、制御部２１０は、紙幣カセットＡから分離された紙幣が認識部１０４によって認識され、認識結果が正常紙幣である旨を示す場合には（ステップＳ５０１において「Ｎｏ」）、出金口１０２に当該紙幣を搬送させる（ステップＳ５０２）。
【００７９】
一方、制御部２１０は、紙幣カセットＡから分離された紙幣が認識部１０４によって認識され、認識結果がリジェクト紙幣である旨を示す場合には（ステップ５０１において「Ｙｅｓ」）、リジェクト紙幣を一時保留部１０５に搬送する（ステップＳ５０３）。
【００８０】
上記処理は、指定カセット全てが空になるまで繰り返される（ステップＳ５０４、Ｓ５０５）。なお本実施形態による出金口回収動作では、１または複数の紙幣カセットを指定することができる。
【００８１】
続いて、制御部２１０は、指定された全ての紙幣カセットからの回収が終了した場合（ステップ５０５において「Ｙｅｓ」）、すなわち出金口回収動作終了後に、出金口１０２のシャッタ（不図示）を開き、オペレータ端末へ正常紙幣の受け取りを通知する（ステップＳ５０６）。
【００８２】
次に、制御部２１０は、出金口１０２に集積紙幣が無いこと（オペレータにより取り除かれたこと）が検知部２２０により検知されると（ステップＳ５０７において「Ｙｅｓ」）、一時保留部１０５に集積紙幣が有るか否かを確認する（ステップＳ５０８）。本実施形態において、一時保留部１０５に集積されている紙幣は、上記Ｓ５０３で搬送したリジェクト紙幣である。
【００８３】
そして、一時保留部１０５に集積紙幣が有る場合（ステップＳ５０８において「Ｙｅｓ」）、制御部２１０は、一時保留部１０５の集積紙幣（すなわち、リジェクト紙幣）を出金口１０２に搬送する（ステップＳ５０９）。なお制御部２１０は、一時保留部１０５に集積紙幣が有ることをオペレータ端末に通知し、オペレータにより一時保留部１０５の紙幣要求が行われた場合に、一時保留部１０５のリジェクト紙幣を出金口１０２に搬送するよう制御してもよい。
【００８４】
（２−２−２．効果）
以上説明したように、紙幣出金口回収動作時にリジェクト紙幣が発生した場合に、リジェクト紙幣を一時保留部１０５に搬送し、出金口回収動作終了後に一時保留部１０５のリジェクト紙幣を出金口１０２に搬送することで、入金庫Ｆ（リジェクトカセット）を使用せずに運用を継続することができる。これにより、オペレータが金庫扉を開閉することなく運用を継続することが可能である。また、金庫扉を開閉することで発生する依頼料が削減する。また、入金庫が不要な構成であるため、コストを削減することも可能である。
【００８５】
（２−２−３．その他の出金口回収動作）
上述した出金口回収は、指定カセット内の全紙幣を出金口回収する場合であるが、出金口回収の対象はこれに限定されず、例えば指定枚数を出金口回収することも可能である。この例について、図８を参照して説明する。
【００８６】
図８は、本発明の第２の実施形態に係る現金処理装置１０の他の出金口回収時（指定枚数出金口回収）における動作の流れの例を示すフローチャートである。
【００８７】
図８に示すように、出金時において、制御部２１０は、紙幣カセットＡから分離された紙幣が認識部１０４によって認識され、認識結果が正常紙幣である旨を示す場合には（ステップＳ５３１において「Ｎｏ」）、出金口１０２に当該紙幣を搬送させる（ステップＳ５３２）。
【００８８】
一方、制御部２１０は、紙幣カセットＡから分離された紙幣が認識部１０４によって認識され、認識結果がリジェクト紙幣である旨を示す場合には（ステップ５３１において「Ｙｅｓ」）、リジェクト紙幣を一時保留部１０５に搬送する（ステップＳ５３３）。
【００８９】
次いで、上記処理が回収指示枚数の搬送が終了するまで（ステップＳ５３４）、または回収可能セットが無くなるまで（ステップＳ５３５）、繰り返される。
【００９０】
続いて、制御部２１０は、回収指示枚数の搬送が終了した場合（ステップＳ５３４において「Ｙｅｓ」）、または回収可能セットが無くなった場合（ステップＳ５３５において「Ｎｏ」）、すなわち出金口回収動作終了後に、出金口１０２のシャッタ（不図示）を開き、オペレータ端末へ正常紙幣の受け取りを通知する（ステップＳ５３６）。
【００９１】
次のステップＳ５３７〜Ｓ５３９は、図７に示すステップＳ５０７〜Ｓ５０９と同様である。具体的には、制御部２１０は、出金口１０２に集積紙幣が無いことを確認してから（Ｓ５３７において「Ｙｅｓ」）、一時保留部１０５に集積されたリジェクト紙幣を出金口１０２に搬送する（Ｓ５３８において「Ｙｅｓ」、Ｓ５３９）。
【００９２】
＜＜３．第２の実施形態＞＞
以上説明した第１の実施形態では、搬送中に発生したリジェクト紙幣を一時保留部１０５に搬送することで、入金庫Ｆ（リジェクトカセット）を使用せずに運用を継続しているが、本発明はこれに限定されない。例えば、搬送中に発生したリジェクト紙幣を出金口１０２に搬送することで、入金庫Ｆ（リジェクトカセット）を使用せずに運用を継続することも可能である。以下、搬送中に発生したリジェクト紙幣を出金口１０２に搬送する第２の実施形態について具体的に説明する。
【００９３】
＜３−１．出金動作＞
まず、第２の実施形態による出金動作について説明する。図９は、本発明の第２の実施形態に係る現金処理装置１０の出金時における動作の流れの例を示すフローチャートである。
【００９４】
（３−１−１．動作処理）
図９に示すように、出金時において、制御部２１０は、紙幣カセットＡから分離された紙幣が認識部１０４によって認識され、認識結果が正常紙幣である旨を示す場合には（ステップＳ６０１において「Ｎｏ」）、第１の出金口１０２−１に当該紙幣を搬送させる（ステップＳ６０２）。
【００９５】
一方、制御部２１０は、紙幣カセットＡから分離された紙幣が認識部１０４によって認識され、認識結果がリジェクト紙幣である旨を示す場合には（ステップ６０１において「Ｙｅｓ」）、リジェクト紙幣を第２の出金口１０２−２に搬送する（ステップＳ６０３）。
【００９６】
次いで、制御部２１０は、第１の出金口１０２−１に搬送した紙幣の数が出金指示枚数に到達していない場合であって（ステップ６０４において「Ｎｏ」）、出金可能カセットが有る場合は（ステップＳ６０５において「Ｙｅｓ」）、ステップＳ６０１に戻り、紙幣カセットからの紙幣の分離と認識部１０４による認識を継続する。
【００９７】
一方、制御部２１０は、第１の出金口１０２−１に搬送した紙幣の数が出金指示枚数に到達した場合（ステップ６０４において「Ｙｅｓ」）、または出金可能カセットが無い場合（ステップＳ６０５において「Ｎｏ」）、すなわち出金動作終了後に、第１の出金口１０２−１のシャッタ（不図示）を開き、オペレータ端末へ正常紙幣の受け取りを通知する（ステップＳ６０６）。
【００９８】
次に、制御部２１０は、第１の出金口１０２−１に集積紙幣が無いこと（オペレータにより取り除かれたこと）が検知部２２０により検知されると（ステップＳ６０７において「Ｙｅｓ」）、第２の出金口１０２−２に集積紙幣が有るか否かを確認する（ステップＳ６０８）。本実施形態において、第２の出金口１０２−２に集積されている紙幣は、上記Ｓ６０３で搬送したリジェクト紙幣である。
【００９９】
そして、第２の出金口１０２−２に集積紙幣が有る場合（ステップＳ６０８において「Ｙｅｓ」）、制御部２１０は、第２の出金口１０２−２のシャッタ（不図示）を開き、オペレータ端末へリジェクト紙幣の受け取りを通知する（ステップＳ６０９）。
【０１００】
さらに、制御部２１０は、第２の出金口１０２−２に集積紙幣の有無に応じて、オペレータによりリジェクト紙幣が受け取られたか（抜き取られたか）否かを認識する（ステップＳ６１０）。具体的には、制御部２１０は、第２の出金口１０２−２からリジェクト紙幣が抜き取られたか否かを、検知部２２０による検知結果（集積紙幣の有無）に基づいて認識する。第２の出金口１０２−２からのリジェクト紙幣の抜き取りが認識できた場合（ステップＳ６１０において「Ｎｏ」）、本処理は終了する。第２の出金口１０２−２からリジェクト紙幣が抜き取られていない場合（ステップＳ６１０において「Ｙｅｓ」）、第２の出金口１０２−２から全てのリジェクト紙幣の抜き取りが認識出来るまで監視を行う。
【０１０１】
（３−１−２．効果）
以上説明したように、紙幣出金動作時にリジェクト紙幣が発生した場合に、リジェクト紙幣を第２の出金口１０２−２に搬送することで、入金庫Ｆ（リジェクトカセット）を使用せずに運用を継続することができる。これにより、オペレータが金庫扉を開閉することなく運用を継続することが可能である。また、金庫扉を開閉することで発生する依頼料が削減する。また、入金庫が不要な構成であるため、コストを削減することも可能である。
【０１０２】
なお、リジェクト紙幣の搬送先は第２の出金口１０２−２に限定されず、複数の出金口１０２のうち正常紙幣が搬送されている出金口と異なる出金口であればよい。これにより出金口でリジェクト紙幣が正常紙幣と混ざることを防止することができる。
【０１０３】
＜３−２．出金口回収動作＞
次に、第２の実施形態による出金口回収動作について図１０を参照して説明する。図１０は、本発明の第２の実施形態に係る現金処理装置１０の出金口回収時における動作の流れの例を示すフローチャートである。ここでは、一例として、指定カセット内の全紙幣を回収する場合の動作について説明する。
【０１０４】
（３−２−１．動作処理）
図１０に示すように、出金口回収時において、制御部２１０は、紙幣カセットＡから分離された紙幣が認識部１０４によって認識され、認識結果が正常紙幣である旨を示す場合には（ステップＳ７０１において「Ｎｏ」）、第１の出金口１０２−１に当該紙幣を搬送させる（ステップＳ７０２）。
【０１０５】
一方、制御部２１０は、紙幣カセットＡから分離された紙幣が認識部１０４によって認識され、認識結果がリジェクト紙幣である旨を示す場合には（ステップ７０１において「Ｙｅｓ」）、リジェクト紙幣を第２の出金口１０２−２に搬送する（ステップＳ７０３）。
【０１０６】
上記処理は、指定カセット全てが空になるまで繰り返される（ステップＳ７０４、Ｓ７０５）。なお本実施形態による出金口回収動作では、１または複数の紙幣カセットを指定することができる。
【０１０７】
続いて、制御部２１０は、指定された全ての紙幣カセットからの回収が終了した場合（ステップ７０５において「Ｙｅｓ」）、すなわち出金口回収動作終了後に、第１の出金口１０２−１のシャッタ（不図示）を開き、オペレータ端末へ正常紙幣の受け取りを通知する（ステップＳ７０６）。
【０１０８】
次に、制御部２１０は、第１の出金口１０２−１に集積紙幣が無いこと（オペレータにより取り除かれたこと）が検知部２２０により検知されると（ステップＳ７０７において「Ｙｅｓ」）、第２の出金口１０２−２に集積紙幣が有るか否かを確認する（ステップＳ７０８）。本実施形態において、第２の出金口１０２−２に集積されている紙幣は、上記Ｓ７０３で搬送したリジェクト紙幣である。
【０１０９】
そして、第２の出金口１０２−２に集積紙幣が有る場合（ステップＳ７０８において「Ｙｅｓ」）、制御部２１０は、第２の出金口１０２−２のシャッタ（不図示）を開き、オペレータ端末へリジェクト紙幣の受け取りを通知する（ステップＳ７０９）。
【０１１０】
さらに、制御部２１０は、第２の出金口１０２−２に集積紙幣の有無に応じて、オペレータによりリジェクト紙幣が受け取られたか（抜き取られたか）否かを認識する（ステップＳ７１０）。第２の出金口１０２−２からのリジェクト紙幣の抜き取りが認識できた場合（ステップＳ７１０において「Ｎｏ」）、本処理は終了する。第２の出金口１０２−２からリジェクト紙幣が抜き取られていない場合（ステップＳ７１０において「Ｙｅｓ」）、第２の出金口１０２−２から全てのリジェクト紙幣の抜き取りが認識出来るまで監視を行う。
【０１１１】
（３−２−２．効果）
以上説明したように、紙幣出金口回収動作時にリジェクト紙幣が発生した場合に、リジェクト紙幣を第２の出金口１０２−２に搬送することで、入金庫Ｆ（リジェクトカセット）を使用せずに運用を継続することができる。これにより、オペレータが金庫扉を開閉することなく運用を継続することが可能である。また、金庫扉を開閉することで発生する依頼料が削減する。また、入金庫が不要な構成であるため、コストを削減することも可能である。
【０１１２】
なお、リジェクト紙幣の搬送先は第２の出金口１０２−２に限定されず、複数の出金口１０２のうち正常紙幣が搬送されている出金口と異なる出金口であればよい。これにより出金口でリジェクト紙幣が正常紙幣と混ざることを防止することができる。
【０１１３】
（３−２−３．その他の出金口回収動作）
上述した出金口回収は、指定カセット内の全紙幣を出金口回収する場合であるが、出金口回収の対象はこれに限定されず、例えば指定枚数を出金口回収することも可能である。この例について、図１１を参照して説明する。
【０１１４】
図１１は、本発明の第２の実施形態に係る現金処理装置１０の他の出金口回収時（指定枚数出金口回収）における動作の流れの例を示すフローチャートである。
【０１１５】
図１１に示すように、出金時において、制御部２１０は、紙幣カセットＡから分離された紙幣が認識部１０４によって認識され、認識結果が正常紙幣である旨を示す場合には（ステップＳ７３１において「Ｎｏ」）、第１の出金口１０２−１に当該紙幣を搬送させる（ステップＳ７３２）。
【０１１６】
一方、制御部２１０は、紙幣カセットＡから分離された紙幣が認識部１０４によって認識され、認識結果がリジェクト紙幣である旨を示す場合には（ステップ７３１において「Ｙｅｓ」）、リジェクト紙幣を第２の出金口１０２−２に搬送する（ステップＳ７３３）。
【０１１７】
次いで、上記処理が回収指示枚数の搬送が終了するまで（ステップＳ７３４）、または回収可能セットが無くなるまで（ステップＳ７３５）、繰り返される。
【０１１８】
続いて、制御部２１０は、回収指示枚数の搬送が終了した場合（ステップＳ７３４において「Ｙｅｓ」）、または回収可能セットが無くなった場合（ステップＳ７３５において「Ｎｏ」）、すなわち出金口回収動作終了後に、第１の出金口１０２−１のシャッタ（不図示）を開き、オペレータ端末へ正常紙幣の受け取りを通知する（ステップＳ７３６）。
【０１１９】
次のステップＳ７３７〜Ｓ７４０は、図１０に示すステップＳ７０７〜Ｓ７１０と同様である。具体的には、制御部２１０は、第２の出金口１０２−２に集積紙幣が無いことを確認してから（Ｓ７３７において「Ｙｅｓ」）、第２の出金口１０２−２のシャッタ（不図示）を開き、オペレータ端末へリジェクト紙幣の受け取りを通知する（Ｓ７３８において「Ｙｅｓ」、Ｓ７３９）。そして、第２の出金口１０２−２からのリジェクト紙幣の抜き取りが認識できた場合（ステップＳ７４０において「Ｎｏ」）、本処理は終了する。第２の出金口１０２−２からリジェクト紙幣が抜き取られていない場合（ステップＳ７４０において「Ｙｅｓ」）、第２の出金口１０２−２から全てのリジェクト紙幣の抜き取りが認識出来るまで監視を行う。
【０１２０】
＜＜４．まとめ＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される
【０１２１】
例えば、現金処理装置１０の動作全体を制御するための制御部２１０は、専用のハードウェアによって構成されてもよいし、現金処理装置１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【０１２２】
また、上述した実施形態は、本実施形態による現金処理装置１０を、職員操作型端末に適用して説明したが、本実施形態による現金処理装置１０は、これに限定されない。例えば、顧客操作型端末であって、紙幣を還流させる（リサイクルさせる）タイプのＡＴＭに代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１２３】
１０    現金処理装置
１０１  入金口
１０２  出金口
１０２−１  第１の出金口
１０２−２  第２の出金口
１０３  搬送路
１０４  認識部
１０５  一時保留部
１０６  紙幣カセット
１１１  入金庫
１１２  ブレード
１１３  ブレード
１１４  下部ユニット
１１５  金庫扉
２１０  制御部
２２０  検知部
２３０  記憶部
２４０  搬送部
【図１】
0006384158.tif 000002
【図２】
0006384158.tif 000003
【図３】
0006384158.tif 000004
【図４】
0006384158.tif 000005
【図５】
0006384158.tif 000006
【図６】
0006384158.tif 000007
【図７】
0006384158.tif 000008
【図８】
0006384158.tif 000009
【図９】
0006384158.tif 000010
【図１０】
0006384158.tif 000011
【図１１】
0006384158.tif 000012